(57)【要約】【課題】クライアントにおける受信パケットの間隔を均一に制御することの可能なストリーム配信方法及び装置の提供。【解決手段】ストリームコンテンツの配信に際して割り当てるべきネットワークの占有帯域を規定するコンテンツ帯域情報を接続要求コマンドから取得するコンテンツ帯域取得部１６と、ストリームデータを構成するパケットの単位長さを規定するパケット長情報を接続要求コマンドから取得するパケット長取得部１７と、コンテンツ帯域取得部１６により取得されたコンテンツ帯域情報とパケット長取得部１７により取得されたパケット長とに基づき、ストリームデータがネットワーク上を定常配信された際に見込まれる当該ストリームデータの平均パケット間隔を算出する間隔制御部１８と、この間隔制御部１８により算出された平均パケット間隔で受信バッファ１３からストリームデータを順次読み出す読出部２０とを具備する特徴。【選択図】図１
2004007113.tif 000002
【特許請求の範囲】
【請求項１】
ネットワーク上のストリームサーバに蓄積された視聴覚メディアに関するストリームコンテンツの配信を受けるため、当該ネットワーク上の任意の１以上の領域において、同ネットワーク上の１以上のクライアントから発せられる接続要求コマンドを取得して前記ストリームサーバに接続要求を行い、当該接続要求に応じて前記ストリームサーバからパケット形式で順次送信されるストリームデータを受信バッファに一旦保持し、その保持した前記ストリームデータを、前記接続要求コマンドを発した前記クライアントの数だけパケット毎にコピーして配信するためのストリーム配信方法であって、
取得された前記接続要求コマンドの内容に基づいて、前記ストリームデータが前記ネットワーク上を定常配信された際に見込まれる当該ストリームデータの平均パケット間隔を算出し、
その算出した前記平均パケット間隔で前記受信バッファから前記ストリームデータを順次読み出すことにより、
当該ストリームデータを構成する各パケットのコピー及び配信を行う、
ことを特徴とするストリーム配信方法。
【請求項２】
前記平均パケット間隔の算出は、
共に前記接続要求コマンドに含まれる、
前記ストリームコンテンツの配信に際して割り当てるべき前記ネットワークの占有帯域を規定するコンテンツ帯域情報と、
前記ストリームデータを構成する前記パケットの単位長さを規定するパケット長情報と、を用いて行う、
ことを特徴とする請求項１に記載のストリーム配信方法。
【請求項３】
前記平均パケット間隔の算出は、
前記パケット長情報により示されるビット数を前記コンテンツ帯域情報により示される単位時間伝送ビット数で除することにより行う、
ことを特徴とする請求項２に記載のストリーム配信方法。
【請求項４】
前記受信バッファにおける前記ストリームデータの滞留データ量であるキュー長を定常的に測定し、
その測定したキュー長が事前に設定された閾値を超過した場合に、前記平均パケット間隔をその初期算出値よりも小さく設定して、前記受信バッファからの前記ストリームデータの読出速度を一時的に高速化する、
ことを特徴とする請求項１、２又は３に記載のストリーム配信方法。
【請求項５】
前記ストリームデータの読出速度の高速化に伴って前記キュー長の閾値超過が解消された場合に、前記平均パケット間隔を前記初期算出値に復旧させる、
ことを特徴とする請求項４に記載のストリーム配信方法。
【請求項６】
ネットワーク上のストリームサーバに蓄積された視聴覚メディアに関するストリームコンテンツの配信を受けるため同ネットワーク上の１以上のクライアントから発せられる接続要求コマンドを取得して前記ストリームサーバに接続要求を行う接続要求処理手段と、この接続要求処理手段からの前記接続要求に応じて前記ストリームサーバからパケット形式で順次送信されるストリームデータを受信するストリームデータ受信手段と、このストリームデータ受信手段により受信された前記ストリームデータを一旦保持する受信バッファと、この受信バッファに保持された前記ストリームデータを前記接続要求コマンドを発した前記クライアントの数だけパケット毎にコピーするコピー処理手段と、このコピー処理手段によりコピーされた前記ストリームデータを前記接続要求コマンドを発した前記クライアントに配信する配信処理手段と、を有してなる、前記ネットワーク上の任意の１以上の領域に設置されるストリーム配信装置において、
前記接続要求処理手段を通じ、前記ストリームコンテンツの配信に際して割り当てるべき前記ネットワークの占有帯域を規定するコンテンツ帯域情報を前記接続要求コマンドから取得するコンテンツ帯域取得手段と、
前記接続要求処理手段を通じ、前記ストリームデータを構成する前記パケットの単位長さを規定するパケット長情報を前記接続要求コマンドから取得するパケット長取得手段と、
前記コンテンツ帯域取得手段により取得された前記コンテンツ帯域情報と前記パケット長取得手段により取得された前記パケット長とに基づき、前記ストリームデータが前記ネットワーク上を定常配信された際に見込まれる当該ストリームデータの平均パケット間隔を算出する間隔制御手段と、
この間隔制御手段により算出された前記平均パケット間隔で前記受信バッファから前記ストリームデータを順次読み出す読出手段と、を有する、
ことを特徴とするストリーム配信装置。
【請求項７】
前記間隔制御手段は、
前記パケット長情報により示されるビット数を前記コンテンツ帯域情報により示される単位時間伝送ビット数で除することにより、所要の前記平均パケット間隔を算出する機能手段を具備する、
ことを特徴とする請求項６に記載のストリーム配信装置。
【請求項８】
前記受信バッファにおける前記ストリームデータの滞留データ量であるキュー長を定常的に測定するキュー長測定手段と、
前記受信バッファにおける前記キュー長に関する閾値を事前に設定された閾値設定手段と、をさらに有し、
前記間隔制御手段は、
前記キュー長測定手段により測定された前記キュー長が前記閾値設定手段に設定された前記閾値を超過した場合に、前記平均パケット間隔をその初期算出値よりも小さく設定して、前記受信バッファからの前記ストリームデータの読出速度を一時的に高速化する機能手段を具備する、
ことを特徴とする請求項６又は７に記載のストリーム配信装置。
【請求項９】
前記間隔制御手段は、
前記ストリームデータの読出速度の高速化に伴って前記キュー長の閾値超過が解消された場合に、前記平均パケット間隔を前記初期算出値に復旧させる機能手段を具備する、
ことを特徴とする請求項８に記載のストリーム配信装置。
【発明の詳細な説明】
【０００１】
【発明の属する技術分野】
本発明は、ストリーム配信方法及び装置に関し、詳しくは、ネットワーク上のストリームサーバに蓄積された映像及び／又は音声を含む視聴覚メディアに関するストリームコンテンツを、同ネットワーク上の１以上のクライアントに配信するためのストリーム配信方法、及びその実施に直接使用するストリーム配信装置に係わる。
【０００２】
【従来の技術】
従来、ネットワーク上のストリームサーバに蓄積された視聴覚メディアに関するストリームコンテンツを同ネットワーク上の１以上のクライアントに配信する場合、一般に、当該ネットワーク上の任意の１以上の領域にストリーム配信装置を設置又は配置し、このストリーム配信装置において、クライアントからのストリームコンテンツに関する接続要求コマンドを受け付けるようにしていた。
【０００３】
ストリーム配信装置で受け付けられた上記接続要求コマンドには、クライアントから指定されたコンテンツ名、コンテンツ帯域及びパケット長に関する各情報が含まれ、ストリームサーバは、その指定されたコンテンツに関するストリームデータを、指定されたコンテンツ帯域及びパケット長でストリーム配信装置に送信し、当該ストリーム配信装置に、接続要求コマンドを発したクライアントへの所要のストリーム配信に関する種々の処理を行わせるようにしていた。
【０００４】
即ち、ストリーム配信装置は、ストリームサーバからパケット形式のストリームデータを受信すると、一旦、そのストリームデータをアプリケーション層にてバッファリングし、これを接続要求コマンドを発したクライアントの数だけパケット毎に順次コピーした後に、該当するクライアントのアドレスをそれぞれ付加して配信するようにしていた。
【０００５】
【発明が解決しようとする課題】
ところで、従来のストリーム配信装置では、パケット単位でバッファリングしたストリームデータのコピー処理が、単に、そのバッファリングのタイミングで順次行われるため、仮に、ストリーム配信装置がストリームデータを受信した時点でパケットに「揺らぎ」があった場合、その揺らぎが保存されたままクライアントに到達するため、以下に示すような問題が生じていた。
【０００６】
即ち、上記パケットの揺らぎにより、ストリームデータのパケット間隔（時間的間隔）がクライアントへの到達時に極端に短くなれば、自ずと、同クライアントにおける瞬間受信帯域が平均値を大きく上回ることになり、その結果、ストリームコンテンツの視聴品質を劣化させる大きな要因であるパケットの「取りこぼし」（パケットロス）を生じる可能性が高くなる問題があった。
【０００７】
ここで、以上のパケットの取りこぼしに関する問題を回避するには、例えば、ストリーム配信装置内に十分大きなバッファ容量を確保しておき、一旦バッファリングしたストリームデータを等しいタイミングで読み出して、そのパケット間隔を整形すればよいことが容易に考えられる。
【０００８】
しかしながら、ストリーム配信装置内に十分大きなバッファ容量を確保することは、経済面で問題があるため、実用上は、限定されたバッファ容量でパケット間隔の制御を実行できることが望ましいといえる。
【０００９】
ここにおいて、本発明の解決すべき主要な目的は、次のとおりである。
即ち、本発明の第１の目的は、ストリームデータのパケットに揺らぎが存在する場合でも、クライアントにおける受信パケットの間隔を均一に制御することの可能なストリーム配信方法及び装置を提供せんとするものである。
【００１０】
本発明の第２の目的は、限定されたバッファ容量でパケット間隔の制御を実行することの可能なストリーム配信方法及び装置を提供せんとするものである。
【００１１】
本発明の他の目的は、明細書、図面、特に特許請求の範囲の各請求項の記載から、自ずと明らかとなろう。
【００１２】
【課題を解決するための手段】
まず、本発明方法においては、ネットワーク上の任意の１以上の領域において取得された接続要求コマンドの内容に基づいて、ストリームデータがネットワーク上を定常配信された際に見込まれる当該ストリームデータの平均パケット間隔を算出し、その算出した平均パケット間隔で受信バッファからストリームデータを順次読み出す、という特徴的構成手法を講じる。
【００１３】
一方、本発明装置においては、接続要求処理手段を通じ、ストリームコンテンツの配信に際して割り当てるべきネットワークの占有帯域を規定するコンテンツ帯域情報を接続要求コマンドから取得するコンテンツ帯域取得手段と、接続要求処理手段を通じ、ストリームデータを構成するパケットの単位長さを規定するパケット長情報を接続要求コマンドから取得するパケット長取得手段と、コンテンツ帯域取得手段により取得されたコンテンツ帯域情報とパケット長取得手段により取得されたパケット長とに基づき、ストリームデータがネットワーク上を定常配信された際に見込まれる当該ストリームデータの平均パケット間隔を算出する間隔制御手段と、この間隔制御手段により算出された平均パケット間隔で受信バッファからストリームデータを順次読み出す読出手段とを具備させる、という特徴的構成手段を講じる。
【００１４】
さらに、具体的詳細に述べると、当該課題の解決では、本発明が次に列挙する上位概念から下位概念に亙る新規な特徴的構成手法又は手段を採用することにより、前記目的を達成するよう為される。
【００１５】
即ち、本発明方法の第１の特徴は、ネットワーク上のストリームサーバに蓄積された視聴覚メディアに関するストリームコンテンツの配信を受けるため、当該ネットワーク上の任意の１以上の領域において、同ネットワーク上の１以上のクライアントから発せられる接続要求コマンドを取得して前記ストリームサーバに接続要求を行い、当該接続要求に応じて前記ストリームサーバからパケット形式で順次送信されるストリームデータを受信バッファに一旦保持し、その保持した前記ストリームデータを、前記接続要求コマンドを発した前記クライアントの数だけパケット毎にコピーして配信するためのストリーム配信方法であって、取得された前記接続要求コマンドの内容に基づいて、前記ストリームデータが前記ネットワーク上を定常配信された際に見込まれる当該ストリームデータの平均パケット間隔を算出し、その算出した前記平均パケット間隔で前記受信バッファから前記ストリームデータを順次読み出すことにより、当該ストリームデータを構成する各パケットのコピー及び配信を行ってなる、ストリーム配信方法の構成採用にある。
【００１６】
本発明方法の第２の特徴は、上記本発明方法の第１の特徴における前記平均パケット間隔の算出を、共に前記接続要求コマンドに含まれる、前記ストリームコンテンツの配信に際して割り当てるべき前記ネットワークの占有帯域を規定するコンテンツ帯域情報と、前記ストリームデータを構成する前記パケットの単位長さを規定するパケット長情報とを用いて行ってなる、ストリーム配信方法の構成採用にある。
【００１７】
本発明方法の第３の特徴は、上記本発明方法の第２の特徴における前記平均パケット間隔の算出を、前記パケット長情報により示されるビット数を前記コンテンツ帯域情報により示される単位時間伝送ビット数で除することにより行ってなる、ストリーム配信方法の構成採用にある。
【００１８】
本発明方法の第４の特徴は、上記本発明方法の第１、第２又は第３の特徴における前記受信バッファにおける前記ストリームデータの滞留データ量であるキュー長を定常的に測定し、その測定したキュー長が事前に設定された閾値を超過した場合に、前記平均パケット間隔をその初期算出値よりも小さく設定して、前記受信バッファからの前記ストリームデータの読出速度を一時的に高速化してなる、ストリーム配信方法の構成採用にある。
【００１９】
本発明方法の第５の特徴は、上記本発明方法の第４の特徴における前記ストリームデータの読出速度の高速化に伴って前記キュー長の閾値超過が解消された場合に、前記平均パケット間隔を前記初期算出値に復旧させてなる、ストリーム配信方法の構成採用にある。
【００２０】
一方、本発明装置の第１の特徴は、ネットワーク上のストリームサーバに蓄積された視聴覚メディアに関するストリームコンテンツの配信を受けるため同ネットワーク上の１以上のクライアントから発せられる接続要求コマンドを取得して前記ストリームサーバに接続要求を行う接続要求処理手段と、この接続要求処理手段からの前記接続要求に応じて前記ストリームサーバからパケット形式で順次送信されるストリームデータを受信するストリームデータ受信手段と、このストリームデータ受信手段により受信された前記ストリームデータを一旦保持する受信バッファと、この受信バッファに保持された前記ストリームデータを前記接続要求コマンドを発した前記クライアントの数だけパケット毎にコピーするコピー処理手段と、このコピー処理手段によりコピーされた前記ストリームデータを前記接続要求コマンドを発した前記クライアントに配信する配信処理手段とを有してなる、前記ネットワーク上の任意の１以上の領域に設置されるストリーム配信装置において、前記接続要求処理手段を通じ、前記ストリームコンテンツの配信に際して割り当てるべき前記ネットワークの占有帯域を規定するコンテンツ帯域情報を前記接続要求コマンドから取得するコンテンツ帯域取得手段と、前記接続要求処理手段を通じ、前記ストリームデータを構成する前記パケットの単位長さを規定するパケット長情報を前記接続要求コマンドから取得するパケット長取得手段と、前記コンテンツ帯域取得手段により取得された前記コンテンツ帯域情報と前記パケット長取得手段により取得された前記パケット長とに基づき、前記ストリームデータが前記ネットワーク上を定常配信された際に見込まれる当該ストリームデータの平均パケット間隔を算出する間隔制御手段と、この間隔制御手段により算出された前記平均パケット間隔で前記受信バッファから前記ストリームデータを順次読み出す読出手段とを有してなる、ストリーム配信装置の構成採用にある。
【００２１】
本発明装置の第２の特徴は、上記本発明装置の第１の特徴における前記間隔制御手段が、前記パケット長情報により示されるビット数を前記コンテンツ帯域情報により示される単位時間伝送ビット数で除することにより、所要の前記平均パケット間隔を算出する機能手段を具備してなる、ストリーム配信装置の構成採用にある。
【００２２】
本発明装置の第３の特徴は、上記本発明装置の第１又は第２の特徴における前記受信バッファにおける前記ストリームデータの滞留データ量であるキュー長を定常的に測定するキュー長測定手段と、前記受信バッファにおける前記キュー長に関する閾値を事前に設定された閾値設定手段とをさらに有し、前記間隔制御手段が、前記キュー長測定手段により測定された前記キュー長が前記閾値設定手段に設定された前記閾値を超過した場合に、前記平均パケット間隔をその初期算出値よりも小さく設定して、前記受信バッファからの前記ストリームデータの読出速度を一時的に高速化する機能手段を具備してなる、ストリーム配信装置の構成採用にある。
【００２３】
本発明装置の第４の特徴は、上記本発明装置の第３の特徴における前記間隔制御手段が、前記ストリームデータの読出速度の高速化に伴って前記キュー長の閾値超過が解消された場合に、前記平均パケット間隔を前記初期算出値に復旧させる機能手段を具備してなる、ストリーム配信装置の構成採用にある。
【００２４】
【発明の実施の形態】
以下、本発明の実施の形態につき、添付図面を参照しつつ、装置例及びこれに対応する方法例を順に挙げて説明する。
【００２５】
（装置例）
図１は、本発明の装置例に係るストリーム配信装置の機能構成図である。
【００２６】
同図に示すように、本装置例に係るストリーム配信装置１は、ネットワーク上の任意の１以上の領域に設置することにより使用され、その基本的な構成要素として、ネットワーク上のストリームサーバ２に蓄積された視聴覚メディアに関するストリームコンテンツの配信を受けるため、同ネットワーク上の１以上のクライアント３から発せられる接続要求コマンドを取得してストリームサーバ２に接続要求を行う接続要求処理部１１と、この接続要求処理部１１からの接続要求に応じてストリームサーバ２からパケット形式で順次送信されるストリームデータを受信するストリームデータ受信部１２と、このストリームデータ受信部１２により受信されたストリームデータを一旦保持するＦＩＦＯ（Ｆｉｒｓｔ−Ｉｎ　Ｆｉｒｓｔ−Ｏｕｔ）方式の受信バッファ１３と、この受信バッファ１３に保持されたストリームデータを接続要求コマンドを発したクライアントの数だけパケット毎にコピーするコピー処理部１４と、このコピー処理部１４によりコピーされたストリームデータを接続要求コマンドを発したクライアント３に配信する配信処理部１５とを有して構成される。
【００２７】
そして、本ストリーム配信装置１は、本発明の特徴的な構成要素として、さらに、接続要求処理部１１を通じ、ストリームコンテンツの配信に際して割り当てるべきネットワークの占有帯域を規定するコンテンツ帯域情報を接続要求コマンドから取得するコンテンツ帯域取得部１６と、接続要求処理部１１を通じ、ストリームデータを構成するパケットの単位長さを規定するパケット長情報を接続要求コマンドから取得するパケット長取得部１７と、コンテンツ帯域取得部１６により取得されたコンテンツ帯域情報とパケット長取得部１７により取得されたパケット長とに基づき、ストリームデータがネットワーク上を定常配信された際に見込まれる当該ストリームデータの平均パケット間隔を算出する間隔制御部１８と、この間隔制御部１８により算出された平均パケット間隔に関するデータを保持するタイマ１９と、このタイマ１９に保持されたデータにより表される平均パケット間隔で受信バッファ１３からストリームデータを順次読み出す読出部２０とを有して構成される。
【００２８】
ここで、上記間隔制御部１８は、パケット長取得部１７で取得されたパケット長情報により示されるビット数（ｂｉｔ）を、コンテンツ帯域取得部１６で取得されたコンテンツ帯域情報により示される単位時間伝送ビット数（ｂｐｓ：ｂｉｔ　ｐｅｒ　ｓｅｃｏｎｄ）で除する（パケット長情報÷コンテンツ帯域情報）ことにより、所要の平均パケット間隔を算出するよう機能する。
【００２９】
また、本ストリーム配信装置１は、受信バッファ１３におけるストリームデータの滞留データ量であるキュー長を定常的に測定するキュー長測定部２１と、受信バッファ１３におけるキュー長に関する閾値を事前に設定された閾値設定部２２とをさらに有して構成され、この場合、間隔制御部１８は、キュー長測定部２１により測定されたキュー長が閾値設定部２２に設定された閾値を超過したときに、平均パケット間隔をその初期算出値よりも小さく設定して、受信バッファ１３からのストリームデータの読出速度を一時的に高速化すると共に、ストリームデータの読出速度の高速化に伴ってキュー長の閾値超過が解消された場合に、平均パケット間隔を初期算出値に復旧させるよう機能する。
【００３０】
（方法例）
続いて、以上のように構成された装置例により実施されるストリーム配信方法の具体例を説明する。
【００３１】
図２は、図１に示したストリーム配信装置１の動作を説明するためのフローチャートである。
【００３２】
まず、本方法例では、その前提として、ネットワーク上のストリームサーバ２に蓄積された視聴覚メディアに関するストリームコンテンツの配信を受けるため、当該ネットワーク上の任意の１以上の領域において、同ネットワーク上の１以上のクライアント３から発せられる接続要求コマンドが接続要求処理部１１により取得されてストリームサーバ２に接続要求が行われ、当該接続要求に応じてストリームサーバ２からパケット形式で順次送信されるストリームデータが受信バッファ１３に一旦保持され、その保持されたストリームデータが、接続要求コマンドを発したクライアント３の数だけパケット毎にコピーされて配信されるものとする。
【００３３】
そして、同図に示すように、ストリーム配信装置１の間隔制御部１８は、接続要求処理部１１により取得された接続要求コマンドの内容に基づき、即ち、ストリームデータを構成するパケットの単位長さを規定するパケット長情報により示されるビット数を、ストリームコンテンツの配信に際して割り当てるべきネットワークの占有帯域を規定するコンテンツ帯域情報により示される単位時間伝送ビット数で除することにより、ストリームデータがネットワーク上を定常配信された際に見込まれる当該ストリームデータの平均パケット間隔を算出する（ＳＴ１）。なお、この平均パケット間隔の算出処理は、１以上のクライアント３から接続要求コマンドが発せられたときに、各クライアント３に関して一度だけ行われる。
【００３４】
次に、ストリーム配信装置１のキュー長測定部２１は、接続要求処理部１１からの接続要求に応じてストリームサーバ２からパケット形式で順次送信されるストリームデータが、ストリームデータ受信部１２を通じて受信バッファ１３に保持されていく過程において、当該受信バッファ１３におけるストリームデータの滞留データ量であるキュー長を定常的に測定し（ＳＴ２）、さらに、間隔制御部１８は、そのキュー長測定部１２で測定された現在のキュー長を、閾値設定部２２に事前に設定された閾値と比較する（ＳＴ３）。
【００３５】
この比較の結果、キュー長が閾値を超過していた場合（ＳＴ４；Ｙｅｓ）、ストリーム配信装置１の間隔制御部１８は、平均パケット間隔をその初期算出値よりも小さく設定して（ＳＴ５）、その平均パケット間隔を表すデータをタイマ１９にセットし、さらに、読出部２０が、そのタイマ１９内のデータに基づいて、そのデータにより表される平均パケット間隔毎に受信バッファ１３からストリームデータを読み出す（ＳＴ６）。そして、これにより、受信バッファ１３からのストリームデータの読出速度が一時的に高速化されるようになり、以下、ＳＴ２以降の処理が繰り返し実行される。
【００３６】
一方、キュー長が閾値を超過していない場合（ＳＴ４；Ｎｏ）、ストリーム配信装置１の間隔制御部１８は、ストリームデータの読出速度の高速化に伴ってキュー長の閾値超過が解消されたとして、平均パケット間隔をその初期算出値に復旧させて（ＳＴ７）、その初期算出値の平均パケット間隔を表すデータをタイマ１９にセットし、以下、同様に、ＳＴ６以降の処理を繰り返し実行する。
【００３７】
以上、本発明の実施の形態につき、その装置例及びこれに対応する方法例を挙げて説明したが、本発明は、必ずしも上述した手段及び手法にのみ限定されるものではなく、後述する効果を有する範囲内において、適宜、変更実施することが可能なものである。
【００３８】
【発明の効果】
以上、詳細に説明したように、本発明によれば、接続要求コマンドの内容に基づいて、ストリームデータがネットワーク上を定常配信された際に見込まれる当該ストリームデータの平均パケット間隔を算出し、その算出した平均パケット間隔で受信バッファからストリームデータを順次読み出すようにしたことから、ストリームデータのパケットに揺らぎが存在する場合でも、クライアントにおける受信パケットの間隔を均一に制御することが可能となる。
【００３９】
また、本発明によれば、受信バッファにおけるキュー長を定常的に測定し、その測定したキュー長が事前に設定された閾値を超過した場合に、平均パケット間隔をその初期算出値よりも小さく設定して、受信バッファからのストリームデータの読出速度を一時的に高速化するようにしたことから、限定されたバッファ容量でパケット間隔の制御を実行することが可能となる。
【図面の簡単な説明】
【図１】本発明の装置例に係るストリーム配信装置の機能構成図である。
【図２】図１に示したストリーム配信装置の動作を説明するためのフローチャートである。
【符号の説明】
１…ストリーム配信装置
２…ストリームサーバ
３…クライアント
１１…接続要求処理部
１２…ストリームデータ受信部
１３…受信バッファ
１４…コピー処理部
１５…配信処理部
１６…コンテンツ帯域取得部
１７…パケット長取得部
１８…間隔制御部
１９…タイマ
２０…読出部
２１…キュー長測定部
２２…閾値設定部
【図１】
2004007113.tif 000003
【図２】
2004007113.tif 000004